(57)【要約】【課題】ＰＯＳ端末の動作テストを効率的に行うことが可能なサーバ装置及びプログラムを提供する。【解決手段】店舗内に設置された第１装置から当該店舗外の第２装置に宛てた送信情報を受け付ける受付手段と、前記送信情報に付加された付加情報に基づき、当該送信情報をテスト用のテストモードで処理するか否かを判定する判定手段と、前記テストモードと判定された場合に、テスト用伝文を前記第１装置に返信し、前記テストモード以外の本番モードと判定された場合に、前記送信情報を前記第２装置に転送する処理手段と、を備える。【選択図】図４
2015169950.tif 000002
【特許請求の範囲】
【請求項１】
店舗内に設置された第１装置から当該店舗外の第２装置に宛てた送信情報を受け付ける受付手段と、
前記送信情報に付加された付加情報に基づき、当該送信情報をテスト用のテストモードで処理するか否かを判定する判定手段と、
前記テストモードと判定された場合に、テスト用伝文を前記第１装置に返信し、前記テストモード以外の本番モードと判定された場合に、前記送信情報を前記第２装置に転送する処理手段と、
を備えるサーバ装置。
【請求項２】
前記判定手段は、前記送信情報に付加された前記第１装置の設置店舗を示す第１付加情報が、予め定められたテスト対象の店舗に該当する場合に、前記送信情報を店舗単位用の第１テストモードで処理すると判定する請求項１に記載のサーバ装置。
【請求項３】
前記判定手段は、前記送信情報にテストモードで処理することを示す第２付加情報が付加されている場合に、前記送信情報を端末単位用の第２テストモードで処理すると判定する請求項１又は２に記載のサーバ装置。
【請求項４】
前記処理手段は、複数段階の処理工程を有し、前記第１テストモードと前記第２テストモードとで、前記送信情報を処理する段階を切り替える請求項３に記載のサーバ装置。
【請求項５】
前記処理手段は、前記処理工程での処理結果を前記テスト用伝文に含めて返信する請求項４に記載のサーバ装置。
【請求項６】
コンピュータを、
店舗内に設置された第１装置から当該店舗外の第２装置に宛てた送信情報を受け付ける受付手段と、
前記送信情報に付加された付加情報に基づき、当該送信情報をテスト用のテストモードで処理するか否かを判定する判定手段と、
前記テストモードと判定された場合に、テスト用伝文を前記第１装置に返信し、前記テストモード以外の本番モードと判定された場合に、前記送信情報を前記第２装置に転送する処理手段と、
して機能させるためのプログラム。
【発明の詳細な説明】
【技術分野】
【０００１】
本発明の実施形態は、サーバ装置及びプログラムに関する。
【背景技術】
【０００２】
従来、コンビニエンスストアやスーパーマーケット等の店舗では、商品販売データ処理装置となるＰＯＳ（Point  Of  Sale）端末を用いることで、商品やサービスの売上処理を行っている。係るＰＯＳ端末は、一般的にクレジットカードによるクレジット決済等、現金以外の決済方法以外にも対応することが可能であり、その決済方法に応じてクレジットカード会社のホストサーバ等と交信するよう構成されている。
【０００３】
ところで、新装開店前の店舗やメンテナンス中の店舗等では、店舗全体でＰＯＳ端末の動作をテストするような場合がある。また、新人オペレータの研修時等において、ＰＯＳ端末の機能や操作を個別にテストするような場合がある。このような場合、ＰＯＳ端末が不用意にホストサーバと交信してしまうと、予期せぬ取引が実行されてしまう等の問題が発生する可能性がある。そのため、ＰＯＳ端末の動作テストを効率的に行うことが可能な技術が望まれている。
【発明の概要】
【発明が解決しようとする課題】
【０００４】
本発明が解決しようとする課題は、ＰＯＳ端末の動作テストを効率的に行うことが可能なサーバ装置及びプログラムを提供することである。
【課題を解決するための手段】
【０００５】
実施形態のサーバ装置は、受付手段と、判定手段と、処理手段とを備える。受付手段は、商店舗内に設置された第１装置から当該店舗外の第２装置に宛てた送信情報を受け付ける。判定手段は、前記送信情報に付加された付加情報に基づき、当該送信情報をテスト用のテストモードで処理するか否かを判定する。処理手段は、前記テストモードと判定された場合に、テスト用伝文を前記第１装置に返信し、前記テストモード以外の本番モードと判定された場合に、前記送信情報を前記第２装置に転送する。
【図面の簡単な説明】
【０００６】
【図１】図１は、実施形態に係る決済システムの構成を示す図である。
【図２】図２は、中継サーバのハードウェア構成を示す図である。
【図３】図３は、テスト店舗管理情報の一例を示す図である。
【図４】図４は、中継サーバの機能構成を示す図である。
【図５】図５は、中継サーバが実行する中継処理の一例を示すフローチャートである。
【発明を実施するための形態】
【０００７】
図１は、実施形態に係る決済システムの構成を示す図である。図１に示すように、決済システム１は、ＰＯＳ端末１０と、中継サーバ２０と、ホストサーバ３０とを有する。ここで、ＰＯＳ端末１０と中継サーバ２０は、通信ネットワークＮ１を介して接続される。また、中継サーバ２０とホストサーバ３０とは、通信ネットワークＮ２を介して接続される。
【０００８】
ＰＯＳ端末１０は、商品販売データ処理装置であり、店舗毎に一又は複数台設けられる。図１では、店舗Ｔ１〜店舗Ｔｎ（ｎは２以上の整数）の各店舗に、複数台のＰＯＳ端末１０が設けられた例を示している。ＰＯＳ端末１０は、キャッシャの操作に応じて、現金やクレジットカード等の決済方法により顧客が購入する商品やサービスの売上処理を行う。具体的に、ＰＯＳ端末１０は、クレジットカードによる決済方法（カード決済）が選択されると、図示しないカードリーダによりクレジットカードからカード情報を読み取る。また、ＰＯＳ端末１０は、与信照会等のため、読み取ったカード情報をホストサーバ３０へ宛てた送信情報として中継サーバ２０に送信する。ここで、カード情報には、例えば、固有のカード番号（会員番号）や有効期限日等が含まれる。なお、ＰＯＳ端末１０から送信されるカード情報には、自装置が置かれた店舗を識別するための識別情報（以下、店舗コードという）が付加されるものとする。
【０００９】
また、ＰＯＳ端末１０には、ＰＯＳ端末１０が備える各種機能や操作方法を練習（テスト）するための動作モードとしてテストモードが用意されている。ＰＯＳ端末１０は、キャッシャの操作によりテストモードに移行すると、その旨を示すテストモードコードをカード情報に付加して中継サーバ２０に送信する。
【００１０】
中継サーバ２０は、本実施形態のサーバ装置であり、ＰＯＳ端末１０とホストサーバ３０との間に接続される。中継サーバ２０は、ＰＯＳ端末１０とホストサーバ３０との間を中継する中継サーバとして機能する。具体的に、中継サーバ２０は、ＰＯＳ端末１０から送信されるカード情報を受け付けると、当該カード情報をホストサーバ３０に送信（転送）する。また、中継サーバ２０は、カード情報に対する返答として送信された与信結果をホストサーバ３０から受け付けると、当該与信結果をＰＯＳ端末１０に送信（転送）する。
【００１１】
また、中継サーバ２０は、店舗又は端末（ＰＯＳ端末１０）の単位で、クレジット決済に係る操作方法や機能をテストするためのテストサーバとして機能する。具体的に、中継サーバ２０は、テストモードで処理することが指示されたカード情報を受信すると、ホストサーバ３０への転送を抑制したテストモード用の動作を行う。また、中継サーバ２０は、テストモード用のメッセージ（以下、テスト用伝文という）をＰＯＳ端末１０に送信（返信）する。なお、中継サーバ２０の詳細な動作については後述する。
【００１２】
ホストサーバ３０は、クレジットカード会社の与信サーバ等である。ホストサーバ３０は、中継サーバ２０から送信されたカード情報を受け付けると、当該カード情報に含まれた各種情報を基に与信の可否を判定する。そして、ホストサーバ３０は、その判定の結果を与信結果として中継サーバ２０に送信（返信）する。なお、与信可否の判定については公知・公用の技術であるため説明を省略する。
【００１３】
図２は、中継サーバ２０のハードウェア構成を示す図である。図２に示すように、中継サーバ２０は、装置全体を制御するＭＰＵ（Micro  Processing  Unit）２１と、ＲＯＭ（Read  Only  Memory）２２と、ＲＡＭ（Random  Access  Memory）２３と、記憶部２４と、入力部２５と、表示部２６と、通信部２７とを備える。また、中継サーバ２０を構成する各部は、バス２８によりＭＰＵ２１に接続される。
【００１４】
ＲＯＭ２２は、制御プログラムを含む各種データを不揮発的に記憶する。ＲＡＭ２３は、ＭＰＵ２１のワークエリアとして機能するとともに、各種データを一時的に記憶する。
【００１５】
記憶部２４は、ＨＤＤ（Hard  Disk  Drive）やＳＳＤ（Solid  State  Drive）等の記憶媒体を備えた記憶装置である。記憶部２４は、ＭＰＵ２１が実行するプログラムや当該プログラムの実行に係る各種データ等を不揮発的に記憶する。また、記憶部２４は、テスト対象の店舗コードが設定されたテスト店舗管理情報２４１と、テストモードでの返信メッセージ（以下、テスト用伝文という）を格納したテスト用伝文情報２４２を記憶する。
【００１６】
ここで、図３は、テスト店舗管理情報２４１のデータ構成の一例を示す図である。図３に示すように、テスト店舗管理情報２４１には、新装開店前の店舗やメンテナンス中の店舗等、テストモードでの処理対象となる店舗の店舗コード（例えばＴ２やＴ５）が格納される。テスト店舗管理情報２４１に設定された店舗（店舗コード）では、その店舗に設置されたＰＯＳ端末１０から送信されるカード情報に対しテストモードが適用される。つまり、テスト店舗管理情報２４１に登録された店舗コードの店舗では、店舗単位でテストモードが適用されることになる。
【００１７】
なお、テスト店舗管理情報２４１のデータ構成は、図３の例に限らず、他の構成でテスト対象の店舗が設定されてもよい。例えば、テスト店舗管理情報２４１に全店舗の店舗コードを登録しておき、テスト対象の店舗コードにフラグ情報等を付加することで、テスト対象の店舗と非テスト対象の店舗とを識別する構成としてもよい。
【００１８】
入力部２５は、キーボードやマウス等の入力デバイスを備え、オペレータから受け付けた操作内容をＭＰＵ２１に出力する。表示部２６は、ＬＣＤ（Liquid  Crystal  Display）等の表示デバイスであり、ＭＰＵ２１の制御の下、各種の情報を表示する。通信部２７は、通信ネットワークＮ１、Ｎ２に接続可能な通信インタフェースである。
【００１９】
次に、図４を参照して、上述した中継サーバ２０の機能構成について説明する。ここで図４は、中継サーバ２０の機能構成を示す図である。
【００２０】
中継サーバ２０のＭＰＵ２１は、ＲＯＭ２２や記憶部２４に記憶されたプログラムに従って動作することで、図４に示すように、店舗Ｉ／Ｆ（インタフェース）部２１１と、処理方法判定部２１２と、ローカル検証部２１３と、ホストＩ／Ｆ部２１４とを機能部として備える。
【００２１】
店舗Ｉ／Ｆ部２１１は、通信部２７を用いて、ＰＯＳ端末１０と通信を行う機能部である。具体的に、店舗Ｉ／Ｆ部２１１は、ＰＯＳ端末１０から送信されるカード情報を受信する。また、店舗Ｉ／Ｆ部２１１は、カード情報に対応して、処理方法判定部２１２、ローカル検証部２１３及びホストＩ／Ｆ部２１４から入力される与信結果やテスト用伝文等を、そのカード情報を送信したＰＯＳ端末１０に送信（返信）する。
【００２２】
処理方法判定部２１２は、店舗Ｉ／Ｆ部２１１が受信したカード情報の処理方法を判定する機能部である。処理方法判定部２１２は、店舗Ｉ／Ｆ部２１１が受信したカード情報が、テストモードの対象か否かを判定する。ここで、処理方法判定部２１２は、カード情報に付加されたコードに応じて、店舗単位用と端末単位用とにテストモードを切り換える。
【００２３】
具体的に、処理方法判定部２１２は、カード情報に付加された店舗コードがテスト店舗管理情報２４１に登録されているか否かを判定する。テスト店舗管理情報２４１に登録されている場合、処理方法判定部２１２は、そのカード情報を店舗単位用のテストモードで処理すると判定する。以下、店舗単位用のテストモードを「店舗テストモード」という。
【００２４】
また、処理方法判定部２１２は、カード情報にテストモードコードが付加されているか否かを判定する。テストモードコードが付加されている場合、処理方法判定部２１２は、そのカード情報を端末単位用のテストモードで処理すると判定する。以下、端末単位用のテストモードを「端末テストモード」という。
【００２５】
また、店舗コードがテスト店舗管理情報２４１に登録されておらず、テストモードコードも付加されていない場合、処理方法判定部２１２は、そのカード情報を非テストモードである通常の動作モードで処理すると判定する。以下、通常の動作モードを「本番モード」という。
【００２６】
なお、一のカード情報について、店舗テストモードと端末テストモードとの両方が判定された場合、何れか一方のテストモードを優先的に採用するよう予め設定されているものとする。本実施形態では、店舗テストモードが優先的に採用される形態について説明する。
【００２７】
ローカル検証部２１３は、カード情報に含まれる所定の要素の整合性を検証することで、そのカード情報が有効か否かを判定する。例えば、ローカル検証部２１３は、カード情報に含まれたカード番号の桁数が正規の桁数と一致するか否かを判定し、その桁数が一致した場合に整合と判定する。また、ローカル検証部２１３は、カード情報に含まれた有効期限日と現在日とを比較し、現在日が有効期限内の場合に整合と判定する。
【００２８】
ローカル検証部２１３は、所定の要素全てについて整合性が確認できた場合、そのカード情報が有効であると判定し、後段のホストＩ／Ｆ部２１４に出力する。一方、不整合の要素が存在する場合、ローカル検証部２１３は、そのカード情報が無効であると判定し、その旨を示すエラーメッセージを、店舗Ｉ／Ｆ部２１１（処理方法判定部２１２）を介して、送信元のＰＯＳ端末１０に送信（返信）する。
【００２９】
また、ローカル検証部２１３は、処理方法判定部２１２の判定結果に応じて、カード情報に対する処理方法を変更する。具体的に、ローカル検証部２１３は、店舗テストモード又は本番モードと判定されたカード情報に対し、上記した有効／無効の判定を行い、有効と判定したカード情報をホストＩ／Ｆ部２１４へ出力する。また、無効と判定したカード情報については、その旨を示すエラーメッセージをＰＯＳ端末１０に返信する。
【００３０】
一方、ローカル検証部２１３は、端末テストモードと判定されたカード情報に対しては、ホストＩ／Ｆ部２１４への出力は行わずに、所定のテスト用伝文をＰＯＳ端末１０に返信する。ここで、返信するテスト用伝文の内容は特に問わないものとする。例えば、ホストＩ／Ｆ部２１４から出力されるテスト用伝文の内容と相違させてもよい。なお、本実施形態では、端末テストモードの場合、カード情報の有効／無効の判定は行わずに、テスト用伝文を返信する形態としたが、有効／無効の判定を行う形態としてもよい。また、有効／無効の判定を行う場合には、その判定結果をテスト用伝文に含めてもよい。
【００３１】
ホストＩ／Ｆ部２１４は、通信部２７を用いて、ホストサーバ３０と通信を行う機能部である。具体的に、ホストＩ／Ｆ部２１４は、ローカル検証部２１３から入力されたカード情報をホストサーバ３０に送信（転送）する。また、ホストＩ／Ｆ部２１４は、ホストサーバ３０から送信される与信結果を受信し、店舗Ｉ／Ｆ部２１１（処理方法判定部２１２、ローカル検証部２１３）を介して、送信元のＰＯＳ端末１０に送信（返信）する。
【００３２】
また、ホストＩ／Ｆ部２１４は、処理方法判定部２１２の判定結果に応じて、カード情報に対する処理方法を変更する。具体的に、ホストＩ／Ｆ部２１４は、本番モードと判定されたカード情報に対しては、そのカード情報をホストサーバ３０へ送信する。一方、ホストＩ／Ｆ部２１４は、店舗テストモードと判定されたカード情報に対しては、ホストサーバ３０への送信は行わずに、所定のテスト用伝文をＰＯＳ端末１０に返信する。ここで、返信するテスト用伝文の内容は特に問わないものとする。例えば、ホストサーバ３０から送信される与信結果を模したものを、テスト用伝文として返信してもよい。
【００３３】
なお、単体テストモードと判定されたカード情報については、ローカル検証部２１３によりホストＩ／Ｆ部２１４への出力が抑制されるため、ホストＩ／Ｆ部２１４の処理対象とはならない。しかしながら、後述するように、ホストＩ／Ｆ部２１４において、端末テストモードのカード情報を処理する場合には、店舗テストモードのカード情報と同様に処理するものとする。
【００３４】
ところで、本実施形態では、店舗テストモードと端末テストモードとでカード情報を処理する部位、つまり処理工程の段階を切り替えている。その理由は、店舗テストモードと端末テストモードとでは、一般的にテストの目的や内容が異なるからである。
【００３５】
例えば、店舗テストモードでは、店舗（ＰＯＳ端末１０）と中継サーバ２０との連携動作、つまり中継サーバ２０を介してカード情報をホストサーバ３０に送信できるか否かが主な目的となる。また、他方の端末テストモードでは、新人オペレータ等がＰＯＳ端末１０の機能や操作を練習（テスト）するのを主な目的としている。この場合、端末テストモードでは、カード情報の有効／無効の判定結果は不要となるため、本実施形態では、ローカル検証部２１３において有効／無効の判定は行わずに、テスト用伝文を直ちに返送している。このように、本実施形態では、テストの目的に応じて、カード情報を処理する段階を異ならせることで、テストに係る処理の効率化を図っている。
【００３６】
なお、店舗テストモードと端末テストモードとで処理の段階を同一にする形態としてもよい。例えば、カード情報を店舗テストモード又は端末テストモードで処理すると判定された場合には、後段のホストＩ／Ｆ部２１４には出力せずに、ローカル検証部２１３においてテスト用伝文を返送する形態としてもよい。また、ローカル検証部２１３は、処理方法判定部２１２の判定結果に依らず常に本番モードとして処理し、後段のホストＩ／Ｆ部２１４において、店舗テストモード又は端末テストモードの場合に、テスト用伝文を返送する形態としてもよい。
【００３７】
次に、中継サーバ２０の動作について説明する。図５は、中継サーバ２０が実行する中継処理の一例を示すフローチャートである。
【００３８】
まず、中継サーバ２０の店舗Ｉ／Ｆ部２１１は、ＰＯＳ端末１０からカード情報を受け付けるまで待機する（ステップＳ１１；Ｎｏ）。店舗Ｉ／Ｆ部２１１がカード情報を受け付けると（ステップＳ１１；Ｙｅｓ）、処理方法判定部２１２は、そのカード情報に付加された店舗コードがテスト店舗管理情報２４１に登録されているか否かを判定する（ステップＳ１２）。
【００３９】
ステップＳ１２において、テスト店舗管理情報２４１に登録されていると判定した場合（ステップＳ１２；Ｙｅｓ）、処理方法判定部２１２は、そのカード情報を店舗テストモードで処理すると判定する（ステップＳ１３）。
【００４０】
店舗テストモードの場合、ローカル検証部２１３は、カード情報が有効か否かを判定する。カード情報が無効の場合（ステップＳ１４；Ｎｏ）、ローカル検証部２１３は、その旨を示すエラーメッセージをＰＯＳ端末１０に返信し（ステップＳ１５）、本処理を終了する。また、カード情報が有効の場合（ステップＳ１４；Ｙｅｓ）、ローカル検証部２１３は、そのカード情報をホストＩ／Ｆ部２１４に出力する。そして、ホストＩ／Ｆ部２１４は、ローカル検証部２１３からカード情報を受け付けると、所定のテスト用伝文をＰＯＳ端末１０に返信し（ステップＳ１６）、本処理を終了する。
【００４１】
また、ステップＳ１２において、テスト店舗管理情報２４１に登録されていないと判定した場合（ステップＳ１２；Ｎｏ）、処理方法判定部２１２は、カード情報にテストモードコードが付加されているか否かを判定する（ステップＳ１７）。ここで、テストモードコードが付加されていると判定した場合（ステップＳ１７；Ｙｅｓ）、処理方法判定部２１２は、そのカード情報を端末テストモードで処理すると判定する（ステップＳ１８）。
【００４２】
端末テストモードの場合、ローカル検証部２１３は、所定のテスト用伝文をＰＯＳ端末１０に返信し（ステップＳ１９）、本処理を終了する。
【００４３】
また、ステップＳ１７において、カード情報にテストモードコードが付加されていないと判定した場合（ステップＳ１７；Ｎｏ）、処理方法判定部２１２は、そのカード情報を本番モードで処理すると判定する（ステップＳ２０）。
【００４４】
本番モードの場合、ローカル検証部２１３は、ステップＳ２１、Ｓ２２において、上述したステップＳ１４、Ｓ１５と同様の処理を実行する。また、ホストＩ／Ｆ部２１４は、ローカル検証部２１３からカード情報を受け付けると、そのカード情報をホストサーバ３０に送信する（ステップＳ２３）。そして、ホストＩ／Ｆ部２１４は、ホストサーバ３０から与信結果を受け付けると、その与信結果をＰＯＳ端末１０に返信し（ステップＳ２４）、本処理を終了する。
【００４５】
以上のように、本実施形態の中継サーバ２０は、カード情報に付加された店舗コード又はテストモードコードに基づいて当該カード情報の処理方法を判定し、その処理方法に応じて、ホストサーバ３０への転送を抑制したテストモードと、ホストサーバ３０への転送を行う本番モードとを切り換える。これにより、テスト店舗管理情報２４１に店舗コードを登録、又はカード情報にテストモードコードを付加することで、ＰＯＳ端末１０の動作テストを店舗単位又は端末単位で行うことができるため、当該動作テストを効率的に行うことができる。
【００４６】
また、中継サーバ２０は、ＰＯＳ端末１０から指示されたテストモードが、店舗テストモードか端末テストモードかに応じて、カード情報を処理する段階、つまりテスト用伝文を返送する段階を切り替える。これにより、テストの目的や内容に応じてカード情報を処理する段階を異ならせることができるため、テストに係る処理の効率化を図ることができる。
【００４７】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００４８】
例えば、上記実施形態では、クレジット決済に係る動作例を説明したが、決済方法はこれに限らず、デビッドカードや電子マネー等、店舗外の外部装置と交信して決済を行う他の決済方法に適用してもよい。
【００４９】
また、上記実施形態では、商品販売データ処理装置であるＰＯＳ端末１０をテストの対象としたが、テスト対象の機器はこれに限らないものとする。また、上記実施形態では、クレジット決済に係るカード情報を処理対象としたが、これに限らず、第１装置（上記実施形態ではＰＯＳ端末１０）から第２装置（上記実施形態ではホストサーバ３０）宛てに送信される送信情報であれば、その種別は問わないものとする。
【００５０】
上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００５１】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００５２】
１  決済システム
１０  ＰＯＳ端末
２０  中継サーバ
２１１  店舗Ｉ／Ｆ部
２１２  処理方法判定部
２１３  ローカル検証部
２１４  ホストＩ／Ｆ部
２４１  テスト店舗管理情報
２４２  テスト用伝文情報
３０  ホストサーバ
Ｎ１、Ｎ２  通信ネットワーク
【先行技術文献】
【特許文献】
【００５３】
【特許文献１】特開平１０−１１１８９１号公報
【図１】
2015169950.tif 000003
【図２】
2015169950.tif 000004
【図３】
2015169950.tif 000005
【図４】
2015169950.tif 000006
【図５】
2015169950.tif 000007